(57)【要約】【課題】汗をかいた場合でも体熱の発散を図るとともに、肌着が体表に付着する不快感を軽減すること。【解決手段】所定の距離を隔てて配置され、首周辺部から腹部まで上下方向に伸延する少なくとも２本の前方上下紐状部材（紐状部材１０，１１）と、所定の距離を隔てて配置され、首周辺部から腰部まで上下方向に伸延する少なくとも２本の後方上下紐状部材（紐状部材１０，１１）と、２本の前方上下紐状部材の間に所定の距離を隔てて配置される複数の前方左右紐状部材（紐状部材２１〜２３）と、２本の後方上下紐状部材の間に所定の距離を隔てて配置される複数の後方左右紐状部材（紐状部材２４〜２７）と、を有し、体表と肌着の間に装着され、体表と肌着の間に、紐状部材の厚みによって空隙を生じせしめることで、当該空隙を介して体から発する熱を発散するとともに、汗を含んだ肌着が体表に接触することを防止する。【選択図】図１
2015081389.tif 000002
【特許請求の範囲】
【請求項１】
所定の距離を隔てて配置され、首周辺部から腹部まで上下方向に伸延する少なくとも２本の前方上下紐状部材と、
所定の距離を隔てて配置され、首周辺部から腰部まで上下方向に伸延する少なくとも２本の後方上下紐状部材と、
前記２本の前方上下紐状部材の間に所定の距離を隔てて配置される複数の前方左右紐状部材と、
前記２本の後方上下紐状部材の間に所定の距離を隔てて配置される複数の後方左右紐状部材と、
を有し、体表と肌着の間に装着され、前記体表と前記肌着の間に、前記紐状部材の厚みによって空隙を生じせしめることで、当該空隙を介して体から発する熱を発散するとともに、汗を含んだ前記肌着が前記体表に接触することを防止する体熱発散装置。
【請求項２】
前記２本の前方上下紐状部材と前記２本の後方上下紐状部材はそれぞれ１の紐状部材によって構成され、これら２本の紐状部材が左右の肩部のそれぞれを介して前記腹部から前記腰部まで伸延される、ことを特徴とする請求項１に記載の体熱発散装置。
【請求項３】
前記左右の肩部のそれぞれを介して前記腹部から前記腰部まで伸延される前記２本の紐状部材の長さ方向の中間部に中空部が設けられ、この中空部に頭部を通すことで、前記２本の紐状部材が腹部および腰部に配置されるように装着することを特徴とする請求項２に記載の体熱発散装置。
【請求項４】
前記前方上下紐状部材と前記後方上下紐状部材とを左右の体側部を経由して接続する側方左右紐状部材を有し、
前記左右の肩部のそれぞれを介して前記腹部から前記腰部まで伸延される前記２本の紐状部材と、前記側方左右紐状部材との間に２の中空部がそれぞれ設けられ、この２の中空部に左右の腕をそれぞれ通すことで、前記２本の紐状部材が腹部および腰部に配置されるように装着することを特徴とする請求項２に記載の体熱発散装置。
【請求項５】
前記紐状部材は、可撓性の樹脂を内部に有し、その外部に吸水性を有する部材を備えることを特徴とする請求項１乃至４のいずれか１項に記載の体熱発散装置。
【請求項６】
前記前方左右紐状部材および前記後方左右紐状部材は、前記前方上下紐状部材および前記後方上下紐状部材よりも大きい直径を有し、
前記複数の前方左右紐状部材および複数の前記後方左右紐状部材は、前記前方上下紐状部材および前記後方上下紐状部材よりも胴体側に配置されていることを特徴とする請求項１乃至５のいずれか１項に記載の体熱発散装置。
【発明の詳細な説明】
【技術分野】
【０００１】
本発明は、体熱発散装置に関するものである。
【背景技術】
【０００２】
近年、地球温暖化やヒートアイランド現象等の影響で、夏期の気温が上昇している。このため、屋外で仕事をする人にとっては、体熱の発散がうまくできず、体温が過度に上昇したり、熱中症を発症したりするリスクがある。
【０００３】
特許文献１には、肌着と上着の間に着用することにより通気性を良くする事ができるスペースインナーが開示されている。この技術は、２枚の網目状の部材を重ねた状態の間にツッパリをもうけて、１つとした材料でできた中着で、体の周囲の通気を良くするのを特徴とする。
【先行技術文献】
【特許文献】
【０００４】
【特許文献１】特開２０１１−１７１２０号公報
【発明の概要】
【発明が解決しようとする課題】
【０００５】
ところで、特許文献１に開示された技術は、肌着と上着の間に着用することから、例えば、発汗によって肌着が湿った場合に、この肌着が体に張り付いて、肌着と体表との間の空間が少なくなり、体熱の発散がうまくできなくなるという問題点がある。また、湿った肌着が体表に張り付いてしまうために不快感を覚えるという問題点もある。
【０００６】
本発明は、以上の点に鑑みてなされたものであり、汗をかいた場合でも体熱の発散を図るとともに、肌着が体表に付着する不快感を軽減することが可能な体熱発散装置を提供することを目的としている。
【課題を解決するための手段】
【０００７】
上記課題を解決するために、本発明は、所定の距離を隔てて配置され、首周辺部から腹部まで上下方向に伸延する少なくとも２本の前方上下紐状部材と、所定の距離を隔てて配置され、首周辺部から腰部まで上下方向に伸延する少なくとも２本の後方上下紐状部材と、前記２本の前方上下紐状部材の間に所定の距離を隔てて配置される複数の前方左右紐状部材と、前記２本の後方上下紐状部材の間に所定の距離を隔てて配置される複数の後方左右紐状部材と、を有し、体表と肌着の間に装着され、前記体表と前記肌着の間に、前記紐状部材の厚みによって空隙を生じせしめることで、当該空隙を介して体から発する熱を発散するとともに、汗を含んだ前記肌着が前記体表に接触することを防止する。
このような構成によれば、汗をかいた場合でも体熱の発散を図るとともに、肌着が体表に付着する不快感を軽減することができる。
【０００８】
また、本発明は、前記２本の前方上下紐状部材と前記２本の後方上下紐状部材はそれぞれ１の紐状部材によって構成され、これら２本の紐状部材が左右の肩部のそれぞれを介して前記腹部から前記腰部まで伸延される、ことを特徴とする。
このような構成によれば、肌着を身につける際に、肩部を経由する２本の紐状部材の存在により、肌着との摩擦によって体熱発散装置の位置がずれること防止できる。
【０００９】
また、本発明は、前記左右の肩部のそれぞれを介して前記腹部から前記腰部まで伸延される前記２本の紐状部材の長さ方向の中間部に中空部が設けられ、この中空部に頭部を通すことで、前記２本の紐状部材が腹部および腰部に配置されるように装着することを特徴とする。
このような構成によれば、中空部に頭部を通すことで、体熱発散装置を簡単に装着することができる。
【００１０】
また、本発明は、前記前方上下紐状部材と前記後方上下紐状部材とを左右の体側部を経由して接続する側方左右紐状部材を有し、前記左右の肩部のそれぞれを介して前記腹部から前記腰部まで伸延される前記２本の紐状部材と、前記側方左右紐状部材との間に２の中空部がそれぞれ設けられ、この２の中空部に左右の腕をそれぞれ通すことで、前記２本の紐状部材が腹部および腰部に配置されるように装着することを特徴とする。
このような構成によれば、２の中空部に左右の腕を通すことで、体熱発散装置を簡単に装着することができる。
【００１１】
また、本発明は、前記紐状部材は、可撓性の樹脂を内部に有し、その外部に吸水性を有する部材を備えることを特徴とする。
このような構成によれば、樹脂の重みによって、体熱発散装置の位置がずれることを防止するとともに、吸水性の部材によって樹脂と胴体との間に汗が溜まることを防止できる。
【００１２】
また、本発明は、前記前方左右紐状部材および前記後方左右紐状部材は、前記前方上下紐状部材および前記後方上下紐状部材よりも大きい直径を有し、前記複数の前方左右紐状部材および複数の前記後方左右紐状部材は、前記前方上下紐状部材および前記後方上下紐状部材よりも胴体側に配置されていることを特徴とする。
このような構成によれば、前方左右紐状部材および後方左右紐状部材が肌着から透けて見えることを防ぐことで、体熱発散装置を装着していることを他人に悟られることを防止できる。
【発明の効果】
【００１３】
本発明によれば、汗をかいた場合でも体熱の発散を図るとともに、肌着が体表に付着する不快感を軽減することが可能な体熱発散装置を提供することができる。
【図面の簡単な説明】
【００１４】
【図１】本発明の第１実施形態に係る体熱発散装置の構成例を示す図である。
【図２】図１に示す紐状部材の詳細な構成例を示す図である。
【図３】第１実施形態を装着した場合に前方から見た状態を示す図である。
【図４】第１実施形態を装着した場合に後方から見た状態を示す図である。
【図５】図３のＸ方向から眺めた図である。
【図６】本発明の第２実施形態に係る体熱発散装置の構成例を示す図である。
【図７】第２実施形態を装着した場合に前方から見た状態を示す図である。
【図８】第２実施形態を装着した場合に後方から見た状態を示す図である。
【図９】本発明の第３実施形態に係る体熱発散装置の構成例を示す図である。
【図１０】第３実施形態を装着した場合に前方から見た状態を示す図である。
【図１１】第３実施形態を装着した場合に前方から見た状態を示す図である。
【発明を実施するための形態】
【００１５】
次に、本発明の実施形態について説明する。
【００１６】
（Ａ）本発明の第１実施形態の説明
図１は、本発明の第１実施形態に係る体熱発散装置の構成例を示す図である。この図に示すように、第１実施形態に係る体熱発散装置１は、図１の上下方向に伸延し、所定の距離を隔てて略平行に配置される２本の紐状部材１０，１１、２本の紐状部材１０，１１の間に所定の距離を隔てて懸架されるとともに、紐状部材１０，１１に対して略直交するように配置される７本の紐状部材２１〜２７、端部が所定の距離を隔てて略平行に配置されるとともに、紐状部材２３，２４の間に中空部１３ａを有する環状部が形成される紐状部材１３と、Ｕ字形状に折り曲げられ、紐状部材２４〜２７の間に配置される紐状部材１２とを有している。なお、図１の上下方向に配置される紐状部材１０〜１３は、図１の左右方向に配置される紐状部材２１〜２７よりも直径が小さい部材が用いられている。
【００１７】
図２は、図１に示す紐状部材２１の内部構造を説明するための図である。なお、紐状部材１０〜１３および紐状部材２１〜２７は同様の構造を有しているので、以下では紐状部材２１を例に挙げて説明する。この図２に示すように、紐状部材２１は、中空部２１ａを有するチューブ状部材２１ｂおよびチューブ状部材２１ｂの外周を覆う表面部材２１ｃを有している。チューブ状部材２１ｂは、体表に沿ってその形状が変化可能な可撓性を有するとともに、吸水性が低い樹脂によって構成される。樹脂としては、例えば、ウレタン系樹脂、アクリル系樹脂、シリコーン系樹脂、エポキシ系樹脂、チオコール系樹脂、または、ポリアミド系樹脂を用いることができる。また、表面部材２１ｃとしては、吸水性が高い、例えば、綿布等の布状部材や、スポンジ状部材等を用いることができる。なお、表面部材２１ｃは、例えば、チューブ状形状を有するように構成し、このチューブ形状を有する表面部材２１ｃの内側にチューブ状部材２１ｂを配置することができる。これ以外にも、例えば、裏面に接着剤が塗布されたテープ形状を有する布状部材またはスポンジ状部材を、チューブ状部材２１ｂの表面に、例えば、らせん状に巻き付けることにより、表面部材２１ｃとすることもできる。
【００１８】
図２に示す形状を有する紐状部材は、図１に示す紐状部材１０〜１３および紐状部材２１〜２７の長さに応じて切断され、図１に示すように紐状部材１０〜１３および紐状部材２１〜２７が組み合わされて接続される。なお、紐状部材１０〜１３および紐状部材２１〜２７を接続する方法としては、例えば、接着剤によって接着したり、糸によって縫合したり、裏面に接着剤が塗布されたテープ形状を有する布状部材またはスポンジ状部材を接続しようとする２つの紐状部材に巻き付けたりすることによって接続することができる。図１の例では、紐状部材１０〜１３および紐状部材２１〜２７が交差または接触している部分が接着、縫合、または、接続されている。
【００１９】
図３および図４は、図１に示す体熱発散装置１をユーザ５０が装着した場合の状態を示す図である。ここで、図３は体熱発散装置１をユーザ５０が装着した場合に前方から眺めた状態を示す図であり、図４は後方から眺めた状態を示す図である。図３および図４に示すように、ユーザ５０は、体熱発散装置１の中空部１３ａに頭部を通し、紐状部材１０，１１が肩部を経由して体表に沿って湾曲するように装着する。また、紐状部材２１〜２７が内側（体表側）に位置するように装着する。この結果、紐状部材２１〜２３が腹部から胸部に配置されるとともに、紐状部材２４〜２７が背中部から腰部に配置される状態となる。なお、ユーザ５０は、体熱発散装置１の上に肌着等を着用する。ここで、「肌着」とは、素肌に直接着用する衣類をいい、例えば、肌シャツやＴシャツその他をいうものとする。
【００２０】
図３および図４に示すように、図の左右方向に伸延する紐状部材２１〜２７は、上下方向に伸延する紐状部材１０〜１３の内側（体表側）に配置されており、また、紐状部材１０〜１３および紐状部材２１〜２７は可撓性を有する部材で構成されることから、体表面の形状に応じて湾曲され、これらの紐状部材２１〜２７は体表面に当接した状態となる。
【００２１】
図５は、図３に示すＸ方向から見た図である。図５においてハッチングが施してある部分５１は、ユーザ５０の体の断面を示している。この図５に示すように、紐状部材２１〜２３は、ユーザの体の表面に当接した状態となるとともに、これらの紐状部材２１〜２３よりも外側（図５の左側）に紐状部材１０，１１が配置された状態となる。このため、紐状部材２１〜２３と体表面との間には、紐状部材２１〜２３の厚み（直径）に応じた隙間が生じ、この隙間は紐状部材１０，１１の厚みに応じた隙間によって連結される。このため、例えば、紐状部材２１，２２の間に生じる隙間に生じた熱は、紐状部材１０，１１によって生じる隙間を介して上昇し、例えば、肌着の首の部分から外部に放出される。これにより、体熱が拡散されるため、体温の上昇を防ぐことができる。なお、図５では、体の前面のみを示しているが、体の背面でも紐状部材２４〜２７および紐状部材１０，１１が配置され、紐状部材２４〜２７は体表面に当接され、体表面と紐状部材２４〜２７の間に形成される隙間に生じた熱は、紐状部材１０，１１によって生じる隙間を介して上昇し、例えば、肌着の首の部分から外部に放出されることで拡散される。
【００２２】
また、ユーザ５０が発汗した場合には、発汗によって湿度が上昇した空気は、前述した隙間を介して外部に放出されることから、発汗による体温上昇を抑制する効果が十分に発揮される。
【００２３】
さらに、発汗によって、肌着が水分を含んで濡れた場合であっても、紐状部材１０，１１および紐状部材２１〜２３がスペーサとして機能することから、濡れた肌着が素肌に密着した場合に生じる不快感をユーザ５０が覚えることを防止できる。
【００２４】
また、図２に示すように、紐状部材２１〜２３および紐状部材１０，１１の表面には吸水性を有する表面部材が配置されているので、紐状部材２１〜２３および紐状部材１０，１１がユーザの皮膚に当接した場合であっても、これらと皮膚との間に汗が溜まって、ユーザ５０が不快感を覚えることを防止できる。
【００２５】
以上に説明したように、第１実施形態に係る体熱発散装置１によれば、所定の距離を隔てて上下方向に伸延する２本の紐状部材１０，１１と、これらの紐状部材１０，１１と直交するように配置される紐状部材２１〜２７を設けるようにしたので、これらの間に生じる隙間を介して体熱を効率よく拡散することで、ユーザ５０の体温の上昇を防ぐことができる。
【００２６】
また、紐状部材１０，１１に対して紐状部材２１〜２７を、間隔を空けて配置したので、体熱発散装置１の上に肌着を身に付けたり、あるいは、体を動かしたりした場合でも、紐状部材２１〜２７の復元力によって、紐状部材１０，１１の間隔が狭くなり、熱の拡散が妨げられることを防止できる。
【００２７】
また、紐状部材２３，２４の間に紐状部材１３による中空部１３ａを設け、この中空部１３ａに頭を通して装着できるようにしたので、着脱を簡単に行うことができる。
【００２８】
また、紐状部材１０，１１の間に紐状部材１２，１３を設けて、隙間を細かく区切るようにしたので、肌着と肌との間に上下方向の隙間を確実に確保することができる。
【００２９】
また、紐状部材１０，１１および紐状部材２１〜２７の表面に吸水性を有する表面部材を設けるようにしたので、紐状部材１０，１１および紐状部材２１〜２７と肌との間に汗が溜まってユーザ５０が不快感を覚えることを防止できる。
【００３０】
また、紐状部材１０，１１および紐状部材２１〜２７の内部に、吸水性が低い樹脂によって構成されるチューブ状部材を設けるようにしたので、表面部材のみに汗が吸収され、内部のチューブ状部材には吸収されないことから、汗によって濡れてしまった場合でも速やかに乾燥する。また、体熱発散装置１を洗濯した場合にも、速やかに乾燥する。
【００３１】
また、紐状部材１０，１１および紐状部材２１〜２７の内部に可撓性を有する樹脂によって形成されるチューブ状部材を配置するようにしたので、ある程度の重さを有する樹脂が中心に存在することで、紐状部材１０，１１が重力によって下方向に引っ張られることで、例えば、ユーザが動いた場合でも、紐状部材１０，１１および紐状部材２１〜２７の位置がずれることを防止できる。
【００３２】
（Ｂ）本発明の第２実施形態の説明
つぎに、本発明の第２実施形態に係る体熱発散装置について説明する。図６は本発明の第２実施形態に係る体熱発散装置１Ａの構成例を示す図である。第２実施形態に係る体熱発散装置１Ａは、Ｕ字形状を有し、中央に配置される紐状部材１１３、紐状部材１１３の両側に配置され、同じくＵ字形状を有する紐状部材１１１，１１２、および、紐状部材１１１，１１２を囲繞するように配置され、凹字形状を有する紐状部材１１０を有している。なお、紐状部材１１１の右上端部、紐状部材１１２の左上端部は、図６において紐状部材１１０と接触する部分に対して接続（または接着もしくは縫合）されている。また、紐状部材１１３の上端部は、紐状部材１１０の中央部に接続（または接着もしくは縫合）されている。紐状部材１２１〜１２３は、紐状部材１１０〜１１３の上下方向に直線状に伸延する部分に対して直交するように配置されている。紐状部材１２１〜１２３と紐状部材１１０〜１１３が交差する部分は接続（または接着もしくは縫合）されている。なお、紐状部材１１０〜１１３および紐状部材１２１〜１２３は、図２と同様の構成とされる。また、紐状部材１２１〜１２３は、紐状部材１１０〜１１３よりも直径が大きくなるように構成される。
【００３３】
図７および図８は、図６に示す体熱発散装置１Ａをユーザ５０が装着した場合の状態を示す図である。第２実施形態の体熱発散装置１Ａは、図６に示す中空部１１２ａに左手を通し、中空部１１１ａに右手を通して、紐状部材１１３がユーザの背部に位置するとともに、紐状部材１１０の右側と紐状部材１１２がユーザ５０の左前部に位置し、紐状部材１１０の左側と紐状部材１１１がユーザの右前部に位置するように装着する。これにより、紐状部材１１０〜１１２は、ユーザ５０の腹部から腰部まで肩部を経由して伸張されるとともに、紐状部材１２１〜１２３は背部から腹部まで胴体周りに沿って巻回される。
【００３４】
なお、体熱発散装置１Ａを装着した場合の体熱の流れは、図５の場合と同様であるので、詳細な説明は省略する。
【００３５】
以上に説明したように本発明の第２実施形態に係る体熱発散装置１Ａによれば、前述した第１実施形態の場合と同様の効果を得ることができる。
【００３６】
また、第２実施形態では、第１実施形態と比較すると、紐状部材１１０〜１１２が肩部を通過するとともに、紐状部材１２３が脇下に配置されるため、上下方向に対する移動がこれらによって規制されることから、ユーザ５０が激しい運動をした場合や、肌着を着脱した場合でも体熱発散装置１Ａの装着位置がずれることを防止できる。
【００３７】
また、第２実施形態では、紐状部材１２１〜１２３は、ユーザ５０の体側部を経由していることから、体側部に籠もった体熱も効果的に拡散することができる。
【００３８】
（Ｃ）本発明の第３実施形態の説明
つぎに、本発明の第３実施形態に係る体熱発散装置について説明する。図９は本発明の第３実施形態に係る体熱発散装置１Ｂの構成例を示す図である。第３実施形態に係る体熱発散装置１Ｂは、図の左側に配置されるＵ字形状を有する紐状部材２１１、紐状部材２１１を囲繞するように配置されるＵ字形状を有する紐状部材２１０、図の右側に配置されるＵ字形状を有する紐状部材２１３、紐状部材２１３を囲繞するように配置されるＵ字形状を有する紐状部材２１２、紐状部材２１０〜２１３の上下方向に直線状に伸延する部分に対して所定の距離を空けて配置される紐状部材２２１，２２２、紐状部材２１１〜２１３の内側部に配置される紐状部材２２３、紐状部材２１０，２１１の左側部に所定の距離を隔てて配置される紐状部材２２４，２２５、および、紐状部材２１２，２１３の右側部に所定の距離を隔てて配置される紐状部材２２６，２２７を有している。なお、紐状部材２１０〜２１３と紐状部材２２１〜２２７の交差する部分は接着剤、糸、または、粘着性テープ等によって相互に接続されている。また、紐状部材２１０〜２１３および紐状部材２２１〜２２７は、図２と同様の構成とされる。また、紐状部材２２１〜２２７は、紐状部材２１０〜２１３よりも直径が大きくなるように構成される。さらに、紐状部材２１１の上部と紐状部材２２２の左側によって中空部２１１ａが構成され、紐状部材２１３の上部と紐状部材２２２の右側によって中空部２１３ａが構成される。
【００３９】
図１０および図１１は、図９に示す体熱発散装置１Ｂをユーザ５０が装着した場合の状態を示す図である。第３実施形態の体熱発散装置１Ｂは、図９に示す中空部２１３ａに左手を通し、中空部２１１ａに右手を通して、紐状部材２２３がユーザの背部に位置するとともに、紐状部材２２６，２２７がユーザ５０の左前部に位置し、紐状部材２２４，２２５がユーザ５０の右前部に位置するように装着する。これにより、紐状部材２１０〜２１３は、ユーザ５０の腹部から腰部まで肩部を経由して伸張されるとともに、紐状部材２２１，２２２は背部から腹部まで胴体周りに沿って巻回された状態となる。
【００４０】
なお、体熱発散装置１Ｂを装着した場合の体熱の流れは、図５の場合と同様であるので、詳細な説明は省略する。
【００４１】
以上に説明したように本発明の第３実施形態に係る体熱発散装置１Ｂによれば、前述した第１実施形態の場合と同様の効果を得ることができる。
【００４２】
また、第３実施形態では、第１実施形態と比較すると、紐状部材２１０〜２１３が肩部を通過するとともに、紐状部材２２２が腰部に巻回されるため、上下方向に対する移動がこれらによって規制されることから、ユーザ５０が激しい運動をした場合や、肌着を着脱した場合でも体熱発散装置１Ｂの装着位置がずれることを防止できる。
【００４３】
また、第３実施形態では、紐状部材２２１，２２２は、ユーザ５０の体側部を経由していることから、体側部に籠もった体熱も効果的に拡散することができる。
【００４４】
また、紐状部材２２２は、脇下ではなく、腰の周りに巻回されることから、ユーザ５０が脇下に圧迫感を覚えることを防ぐことができる。
【００４５】
（Ｄ）変形実施形態の説明
以上の各実施形態は一例であって、本発明が上述したような場合のみに限定されるものでないことはいうまでもない。例えば、以上の各実施形態では、紐状部材として、図２に示すような、中空部を有するチューブ状部材を用いるようにしたが、中空部を有しない柱形状を有する部材を用いるようにしてもよい。また、紐状部材の内部には、チューブ状部材を配置するようにしたが、表面部材がある程度の重さを有する場合には、チューブ状部材は省略するようにしてもよい。
【００４６】
また、図１、図６、および、図９に示す構成例は一例であって、例えば、ユーザ５０の体のサイズに応じて、上下方向に伸延する紐状部材あるいは左右方向に伸延する紐状部材の本数を調整するようにしてもよい。
【００４７】
また、図１、図６、および、図９に示す構成例では、１の紐状部材がユーザ５０の腹部から腰部まで伸延するようにしたが、前部と背部とを別の紐状部材によって構成し、これら２つの紐状部材を接続することで、紐状部材がユーザ５０の腹部から腰部まで伸延するようにしてもよい。
【００４８】
また、図１に示す例では、腰部に位置する紐状部材１０，１１と、腹部に位置する紐状部材１０，１１を、例えば、紐等によって結ぶことにより、体熱発散装置１をユーザ５０の体に密着するようにしてもよい。また、図６に示す例では、ユーザ５０の腹部に位置する紐状部材１１０の右側と左側とを紐等によって結ぶことにより、体熱発散装置１Ａがユーザ５０の体に密着するようにしてもよい。さらに、図９に示す例では、ユーザ５０の腹部に位置する紐状部材２１０と紐状部材２１２を紐等によって結ぶことにより、体熱発散装置１Ｂがユーザ５０の体に密着するようにしてもよい。
【００４９】
また、以上の各実施形態において、紐状部材の内部に保冷剤を充填し、体熱発散装置１，１Ａ，１Ｂを冷蔵庫または冷凍庫に入れて冷却することで、装着した際に、保冷剤によって体温を吸収できるようにしてもよい。
【００５０】
また、以上の各実施形態において、紐状部材に複数の穴を穿孔するとともに、紐状部材の中空部に対して、送風装置によって空気を送ることにより、穿孔された複数の穴から空気を送出することで、体熱の拡散をより効果的に行うようにしてもよい。
【００５１】
また、以上の各実施形態において、紐状部材の内部に発光素子（例えば、ＬＥＤ（Light Emitting Diode））を設け、この発光素子から出力される光によって紐状部材自体が発光するようにしてもよい。そのような構成によれば、光が十分でない場所（例えば、夜間の道路）で作業をするような場合であっても、この紐状部材から放出される光が肌着等を透過して視認できることから、第三者に作業者が存在することを認知させることができる。なお、紐状部材を構成するチューブ状部材として、透光性を有する部材を使用し、チューブ状部材の端部に発光素子を配置し、発光素子から出力された光がチューブ状部材を伝搬し、チューブ状部材の表面から散光されるようにしてもよい。また、発光素子としてマルチカラーＬＥＤを使用し、制御部によって、発光色とともに、発光強度を制御することで、色彩豊かな発光を行うようにしてもよい。
【００５２】
さらに、以上の各実施形態では、体熱発散装置１，１Ａ，１Ｂは肌着の下に装着する場合を例に挙げて説明したが、場合によっては、肌着の上に装着するようにしてもよい。
【００５３】
また、以上の各実施形態では、大人が着用する場合を例に挙げて説明したが、発汗量が多い乳児または幼児等の子どもが着用することも可能である。子どもが体熱発散装置１，１Ａ，１Ｂを着用した場合、体熱の発散が容易になることから、体温の上昇を抑えるとともに、熱射病になることを防止できる。また、汗を含んだ空気を発散することで、あせもが生じることを防止できる。
【符号の説明】
【００５４】
１，１Ａ，１Ｂ  体熱発散装置
１０，１１  紐状部材（前方上下紐状部材、後方上下紐状部材）
１２，１３  紐状部材（前方上下紐状部材、後方上下紐状部材）
２１〜２３  紐状部材（前方左右紐状部材）
２４〜２７  紐状部材（後方左右紐状部材）
２１ａ  中空部
２１ｂ  チューブ状部材
２１ｃ  表面部材
１１０  紐状部材（前方上下紐状部材）
１１１，１１２  紐状部材（前方上下紐状部材、後方上下紐状部材）
１１３  紐状部材（後方上下紐状部材）
１２１〜１２３  紐状部材（前方左右紐状部材、後方左右紐状部材、側方左右紐状部材）
２１０〜２１３  紐状部材（前方上下紐状部材、後方上下紐状部材）
２２１，２２２  紐状部材（前方左右紐状部材、後方左右紐状部材、側方左右紐状部材）
２２３  紐状部材（後方左右紐状部材）
２２４〜２２７  紐状部材（前方左右紐状部材）
【図１】
2015081389.tif 000003
【図２】
2015081389.tif 000004
【図３】
2015081389.tif 000005
【図４】
2015081389.tif 000006
【図５】
2015081389.tif 000007
【図６】
2015081389.tif 000008
【図７】
2015081389.tif 000009
【図８】
2015081389.tif 000010
【図９】
2015081389.tif 000011
【図１０】
2015081389.tif 000012
【図１１】
2015081389.tif 000013